【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
データがピット状に記録された複数の領域を備える再生専用の光情報記録媒体において、
前記複数の領域のうち少なくとも一つにあるピットが、複数の領域のうち他の領域と異なるピットパターンで形成され、
前記複数の領域は、ＢＣＡ、リードイン領域、ユーザデータ領域及びリードアウト領域を含み、
前記ＢＣＡのピットパターンが、前記リードイン領域とユーザデータ領域のうち少なくとも一つに形成されたピットパターンと異なることを特徴とする光情報記録媒体。
【請求項２】
前記ＢＣＡのピットは、第１ストレートパターンまたは第１ウォッブリングパターンで形成され、
前記リードイン領域とユーザデータ領域のうち少なくとも一つに形成されたピットパターンは、前記第１ストレートパターンと異なる第２ストレートパターンまたは前記第１ウォッブリングパターンと異なる第２ウォッブリングパターンで形成されたことを特徴とする請求項１に記載の光情報記録媒体。
【請求項３】
前記第１及び第２ストレートパターンは、ストレート単一パターン、ストレート特定パターン及びストレートランダムパターンのうち一つであることを特徴とする請求項２に記載の光情報記録媒体。
【請求項４】
前記第１及び第２ウォッブリングパターンは、ウォッブリング単一パターン、ウォッブリング特定パターン及びウォッブリングランダムパターンのうち一つであることを特徴とする請求項２または３に記載の光情報記録媒体。
【請求項５】
前記ＢＣＡ、リードイン領域、ユーザデータ領域及びリードアウト領域のうち少なくとも一つの領域が複数の小領域に分けられ、
前記小領域のピットがそれぞれ異なるパターンで形成されることを特徴とする請求項１、２、３及び４のうち何れか一項に記載の光情報記録媒体。
【請求項６】
前記リードイン領域が第１領域及び第２領域を含み、
前記第１領域のピットが第３ストレートパターン及び第３ウォッブリングパターンのうち一つで形成され、
前記第２領域のピットが前記第１領域のピットパターンと異なる第４ストレートパターン及び第４ウォッブリングパターンのうち一つで形成されることを特徴とする請求項５に記載の光情報記録媒体。
【請求項７】
前記第３及び第４ストレートパターンは、ストレート単一パターン、ストレート特定パターン及びストレートランダムパターンのうち一つであることを特徴とする請求項６に記載の光情報記録媒体。
【請求項８】
前記第３及び第４ウォッブリングパターンは、ウォッブリング単一パターン、ウォッブリング特定パターン及びウォッブリングランダムパターンのうち一つであることを特徴とする請求項６または７に記載の光情報記録媒体。
【請求項９】
前記ユーザデータ領域は、複数の基本記録単位と、前記基本記録単位ごとにそれぞれ基本記録単位の前後に配置されたランイン及びランアウトとを含むことを特徴とする請求項１または２に記載の光情報記録媒体。
【請求項１０】
前記基本記録単位は、物理的クラスター、セクター、ＥＣＣブロック及びフレームのうち一つであることを特徴とする請求項９に記載の光情報記録媒体。
【請求項１１】
前記基本記録単位のピットパターンと前記ランイン及びランアウトのピットパターンとが同じであることを特徴とする請求項９に記載の光情報記録媒体。
【請求項１２】
前記基本記録単位のピットパターンと前記ランイン及びランアウトのピットパターンとが異なることを特徴とする請求項９に記載の光情報記録媒体。
【請求項１３】
データがピット状に記録された複数の領域を有する複数の記録層を備え、
前記複数の領域のうち少なくとも一つにあるピットが、複数の領域のうち残りの領域に形成されたピットと異なるピットパターンであることを特徴とする再生専用の光情報記録媒体。
【請求項１４】
複数個の領域を有する再生専用の光情報記録媒体に情報を記録する方法であって、
複数の領域のうち少なくとも一つに第１ピットパターンのピット状にデータを記録するステップと、
前記複数の領域と異なる所に前記第１ピットと異なる第２ピットパターンのピット状にデータを記録するステップとを含むことを特徴とする方法。
【請求項１５】
前記複数の領域は、ＢＣＡ、リードイン領域、ユーザデータ領域及びリードアウト領域を含むことを特徴とする請求項１４に記載の方法。
【請求項１６】
前記ＢＣＡのピットパターンが、前記リードイン領域とユーザデータ領域のうち少なくとも一つに形成されたピットパターンと異なることを特徴とする請求項１５に記載の方法。
【請求項１７】
複数の領域を備える再生専用の光情報記録媒体から情報を記録する方法において、
第１変調方式によって、複数の領域のうち少なくとも一つにピット状に記録されたデータを再生するステップと、
前記第１変調方式と異なる第２変調方式によって、複数の領域のうち残りの領域にピット状に記録されたデータを再生するステップとを含むことを特徴とする方法。
【請求項１８】
複数の記録層を含む再生専用の光情報記録媒体に情報を記録する方法において、
第１ピットパターンのピット状に前記複数の領域のうち少なくとも一つに記録されたデータを再生するステップと、
前記第１ピットパターンと異なる第２ピットパターンのピット状に複数の領域の残りの領域に記録されたデータを再生するステップとを含むことを特徴とする方法。
【請求項１９】
複数の記録層を含む再生専用の光情報記録媒体に／から情報を記録／再生する方法において、
第１ピットパターンのピット状に複数の領域のうち少なくとも一つにデータを記録するステップと、
前記第１ピットパターンと異なる第２ピットパターンのピット状に複数の領域のうち残りの領域にデータを記録するステップと、
前記複数の領域のうち少なくとも一つから、そして前記複数の領域のうち残りの領域のうち少なくとも一つからデータを再生するステップとを含むことを特徴とする方法。
【請求項２０】
複数の領域を備える再生専用の光情報記録媒体に／から情報を記録／再生する方法において、
第１変調方式によって、複数の領域のうち少なくとも一つにピット状にデータを記録するステップと、
前記第１変調方式と異なる第２変調方式によって、複数の領域のうち残りの領域にピット状にデータを記録するステップと、
複数の領域のうち少なくとも一つから、そして複数の領域のうち残りの領域の少なくとも一つからデータを再生するステップとを含むことを特徴とする方法。
【請求項２１】
複数の領域を有する再生専用の光情報記録媒体を使用するための記録装置において、
複数の領域にデータを記録する記録ユニットと、
第１ピットパターンのピット状に複数の領域のうち少なくとも一つにデータを記録するように前記記録ユニットを制御し、前記第１ピットパターンと異なる第２ピットパターンのピット状に複数の領域のうち残りの領域にデータを記録するように記録ユニットを制御する制御部とを備えることを特徴とする記録装置。
【請求項２２】
前記複数の領域は、ＢＣＡ、リードイン領域、ユーザデータ領域及びリードアウト領域を含むことを特徴とする請求項２１に記載の記録装置。
【請求項２３】
前記ＢＣＡのピットパターンが前記リードイン領域及びユーザデータ領域のうち少なくとも一つに形成されたピットパターンと異なることを特徴とする請求項２２に記載の記録装置。
【請求項２４】
複数の領域を有する再生専用の光情報記録媒体を使用するための記録装置において、
前記複数の領域にデータを記録する記録ユニットと、
第１変調方式によって、前記複数の領域のうち少なくとも一つにピット状にデータを記録するように記録ユニットを制御し、前記第１変調方式と異なる第２変調方式によって、複数の領域の残りの領域にピット状にデータを記録するように記録ユニットを制御する制御部とを備えることを特徴とする記録装置。
【請求項２５】
複数の領域を有する再生専用の光情報記録媒体を使用するための記録装置において、
前記複数の領域にデータを記録する記録ユニットと、
前記媒体に規定された第１ピットパターン及び第１記録変調方式のうち一つを使用して、複数の領域のうち一つにデータを記録するように前記記録ユニットを制御し、第２ピットパターン及び第２記録変調方式のうち一つを使用して、複数の領域のうち残りの領域の少なくとも一つにデータを記録するように記録ユニットを制御する制御部とを備え、
第１ピットパターンが複数の領域のうち一つにデータを記録するのに使われる時、複数の領域のうち、他の領域のうち少なくとも一つにデータを記録するのに前記第２ピットパターンのみが使われ、
第１変調方式が複数の領域のうち一つにデータを記録するのに使われる時、前記複数の領域のうち、他の領域のうち少なくとも一つにデータを記録するのに第２変調方式のみが使われることを特徴とする記録装置。
【請求項２６】
複数の層に複数の領域を有する再生専用の光情報記録媒体を使用するための記録装置において、
前記複数の領域にデータを記録する記録ユニットと、
第１ピットパターンのピット状に前記複数の領域のうち少なくとも一つにデータを記録するように記録ユニットを制御し、前記第１ピットパターンと異なる第２ピットパターンのピット状に複数の領域のうち残りの領域にデータを記録するように前記記録ユニットを制御する制御部とを備えることを特徴とする記録装置。
【請求項２７】
複数の領域を有する再生専用の光情報記録媒体を使用するための再生装置において、
前記複数の領域からデータを再生する再生ユニットと、
前記第１ピットパターンのピット状に複数の領域のうち少なくとも一つでデータを再生するように前記再生ユニットを制御し、第１ピットパターンと異なる第２ピットパターンのピット状に複数の領域のうち残りの領域にデータを再生するように前記再生ユニットを制御する制御部とを備えることを特徴とする再生装置。
【請求項２８】
複数の領域を有する再生専用の光情報記録媒体を使用するための再生装置において、
複数の領域からデータを再生する再生ユニットと、
第１変調方式によって、複数の領域のうち少なくとも一つにピット状のデータを再生するように前記再生ユニットを制御し、前記第１変調方式と異なる第２変調方式によって、複数の領域のうち残りの領域にピット状のデータを再生するように再生ユニットを制御する制御部とを備えることを特徴とする再生装置。
【請求項２９】
複数の領域を有する再生専用の光情報記録媒体を使用するための記録及び再生装置において、
複数の領域に／からデータを記録／再生する記録及び再生ユニットと、
第１ピットパターンのピット状に複数の領域のうち少なくとも一つにデータを記録するように前記記録及び再生ユニットを制御し、前記第１ピットパターンと異なる第２ピットパターンのピット状に複数の領域の残りの領域にデータを再生するように前記記録及び再生ユニットを制御し、前記第１ピットパターン及び第２ピットパターンのうち少なくとも一つのデータを再生するように前記記録及び再生ユニットを制御する制御部とを備えることを特徴とする記録及び再生装置。
【請求項３０】
複数の領域を有する再生専用の光情報記録媒体を使用するための記録及び再生装置において、
前記複数の領域に／からデータを記録／再生する記録及び再生ユニットと、
第１変調方式によって、複数の領域のうち少なくとも一つにピット状にデータを記録するように前記記録及び再生ユニットを制御し、前記第１変調方式と異なる第２変調方式によって、複数の領域の残りの領域にピット状にデータを記録するように前記記録及び再生ユニットを制御し、前記第１変調方式及び第２変調方式のうち少なくとも一つでデータを再生するように記録及び再生ユニットを制御する制御部とを備えることを特徴とする記録及び再生装置。